(57)【要約】【課題】利便性および信頼性の高いコネクタ接続を行うことができる情報処理装置を提供する。【解決手段】筐体１１に外部機器のコネクタと接続する端子接続部１４ａ、１４ｂと、筐体１１に回動可能に支持固定されて端子接続部１４ａ、１４ｂに対応する開口部３１ａ、３１ｂを有する開閉部材３０とを備えて、開閉部材３０は円弧形状の蓋部３３に開口部３１ａ、３１ｂを設け、蓋部３３の端面が筐体１１の端面よりも外部に突出するように構成している。【選択図】図２
2011018089.tif 000002
【特許請求の範囲】
【請求項１】
筐体に外部機器のコネクタと接続する端子接続部と、前記筐体に回動可能に支持固定されて前記端子接続部に対応する開口部を有する開閉部材とを備えたことを特徴とする情報処理装置。
【請求項２】
前記開閉部材は円弧形状の蓋部に前記開口部を設け、前記蓋部の端面が前記筐体の端面よりも外部に突出するように構成したことを特徴とする請求項１に記載の情報処理装置。
【請求項３】
前記端子接続部と前記開閉部材とを係合させ、前記開閉部材の回動に連動させて前記端子接続部を回動させることを特徴とする請求項１または請求項２に記載の情報処理装置。
【請求項４】
前記開閉部材が回動する前記筐体の端面または前記開閉部材の少なくとも一方に密封部材を配置したことを特徴とする請求項１から請求項３のいずれか１項に記載の情報処理装置。
【発明の詳細な説明】
【技術分野】
【０００１】
本発明は、外部機器のコネクタと接続する端子接続部を備えた情報処理装置に関し、特に、端子接続部へのコネクタの接続を容易にするとともに端子接続部への防塵防水性能を高めた情報処理装置に関する。
【背景技術】
【０００２】
近年、音声・映像機器やパソコンなどの情報処理装置の成熟化に伴い、装置の利便性に関する対策が急速に進んでいる。通常、情報処理装置には電源線を接続するコネクタやＩＯ機器などの外部機器を接続するための複数の端子接続部が、情報処理装置を構成する筐体の側面部などに配設されている。このような情報処理装置に外部機器を接続する場合には、接続に必要な端子接続部を確認して接続する必要があった。
【０００３】
一方、これらの端子接続部に外部機器を接続する容易性を高める例として、家屋における配線器具において、差込みプラグの差込み部にガイド溝を設ける方法が、特許文献１、２に開示されている。
【先行技術文献】
【特許文献】
【０００４】
【特許文献１】実開昭５８−０５２８７７号公報
【特許文献２】実開昭６３−１６４１８９号公報
【発明の概要】
【発明が解決しようとする課題】
【０００５】
しかしながら、近年、携帯型のノートパソコンや携帯型ナビゲーションシステム（ＮＡＶＩ）、パーソナルディジタルアシスタント（ＰＤＡ）などの情報処理装置が普及し、さらに、これらの携帯型情報処理装置が種々の環境下で使用されるようになってきている。また、これらの情報処理装置では、端子接続部が情報処理装置の側面部や背面部に設けられる例が多い。一方、これらの情報処理装置を屋外に持ち出し、照明のない状況や狭い作業空間の状況などで使用する場合が多い。このような状況下で、端子接続部に外部機器を接続する際には、手探りの状態で端子接続部に外部機器を接続する必要があるなどの作業性に課題を有するものであった。
【０００６】
本発明は、上記の課題を解決し、外部機器との接続の作業性に優れた端子接続部を有する情報処理装置を提供することを目的とするものである。
【課題を解決するための手段】
【０００７】
上述した目的を達成するために、本発明の情報処理装置は、筐体に外部機器のコネクタと接続する端子接続部と、筐体に回動可能に支持固定されて端子接続部に対応する開口部を有する開閉部材とを備えている。
【０００８】
このような構成により、コネクタを端子接続部と接続する場合に、筐体に回動可能に支持固定された開閉部材を回動するだけで開口部を認識することができ、作業空間が狭い状態でも操作が可能で、なおかつ、容易にコネクタを端子接続部に接続することが可能となる。
【０００９】
さらに、開閉部材は円弧形状の蓋部に開口部を設け、蓋部の端面が筐体の端面よりも外部に突出するように構成することが望ましい。このように構成することにより、蓋部に設けられたコネクタを挿入する開口部を、筐体の上面より容易に視認することができ、端子接続部へのコネクタの接続を容易に行うことができる。
【００１０】
さらに、端子接続部と開閉部材とを係合させ、開閉部材の回動に連動させて端子接続部を回動させるようにすることが望ましい。このような構成によれば、端子接続部の端子部の向きを開閉部材が閉じた状態では下向きにして、端子部に侵入する塵埃や水などから保護することが可能となる。
【００１１】
さらに、開閉部材が回動する筐体の端面または開閉部材の少なくとも一方に密封部材を配置することが望ましい。このような構成によれば、筐体と開閉部材との密封性を高め、確実な防塵、防水性能を実現することができる。
【発明の効果】
【００１２】
本発明の情報処理装置によれば、狭い空間などで情報処理装置を操作する場合でも、端子接続部へのコネクタの接続作業を容易に行うことができ、なおかつ、防塵、防水性能に優れた接続端子部を備えた情報処理装置を実現することができる。
【図面の簡単な説明】
【００１３】
【図１】本発明の実施の形態１における情報処理装置を示す斜視図である。
【図２】同情報処理装置の開閉部材を開モードとした状態を示す図である。
【図３】同情報処理装置の開閉部材を閉モードとした状態を示す図である。
【図４】図２（ａ）において筐体をＣ方向から見た場合の一部平面図である。
【図５】本発明の実施の形態２における情報処理装置の開閉部材を開モードとした状態を示す断面図である。
【図６】本発明の実施の形態３における情報処理装置の開閉部材を開モードと閉モードにした状態を示す断面図である。
【発明を実施するための形態】
【００１４】
以下、本発明の情報処理装置における一実施の形態について、ノート型パーソナルコンピュータ（以下、パソコンと称す）を例に挙げ、図面を参照しながら説明する。
【００１５】
（実施の形態１）
図１は、実施の形態１におけるパソコン１を示す斜視図である。図１に示すように、パソコン１は、本体１０と表示装置２０とを備えている。表示装置２０は、本体１０に設けられた支持部１６および表示装置２０に配設された支持部２３により係合され、表示装置２０が本体１０に対して開閉可能に構成されている。また、本体１０は筐体１１により構成されて、筐体１１の前面部１１ａにはキーボードによる入力部１２およびタッチパッドによる操作部１３が設けられ、側面部１１ｂには、例えば外部機器などのコネクタ２４を接続するための端子接続部１４ａ、１４ｂが設けられている。また、表示装置２０の表示面２１には、液晶表示パネルなどにより構成された表示部２２が設けられている。
【００１６】
パソコン１の表示装置２０は、支持部２３に配設された回転機構（図示せず）によりＸ−Ｘ軸を中心として回転可能に構成され、さらに、本体１０の前面部１１ａと表示装置２０の表示面２１を対向させた状態で開閉することができる。
【００１７】
なお、図１においては、支持部２３によって表示装置２０が回転可能な構成としているが、表示装置２０と前面部１１ａとが開閉可能なだけの構成となるように、本体１０と表示装置２０とをヒンジで結合した構成としてもよい。
【００１８】
なお、図１においては、パソコン１の筐体１１には、端子接続部１４ａ、１４ｂを側面部１１ｂに設けた構成としているが、側面部１１ｃや背面側の側面部１１ｄに設けてもよい。端子接続部１４ａ、１４ｂには、外部記憶装置であるＵＳＢやマウスなどの外部機器からのコネクタ２４が接続されるように、端子ピンなどの端子部が開口して配置されている。コネクタ２４が端子接続部１４ａ、１４ｂに嵌まり込んで、端子ピンと電気的に接続され、外部機器とパソコン１との間でデータなどの受け渡しを可能にしている。
【００１９】
つぎに、実施の形態１におけるパソコン１について、端子接続部１４ａ、１４ｂを開閉する開閉部材３０を有する筐体１１の構成について図２〜図４を用いて詳細に説明する。
【００２０】
図２は実施の形態１におけるパソコン１の開閉部材３０を開モードとした状態を示す図であり、図２（ａ）はパソコン１の筐体１１の側面部１１ｂの斜視図、図２（ｂ）は図２（ａ）におけるＡ−Ａ線断面図である。また、図３は本発明の実施の形態１においてパソコン１の開閉部材３０を閉モードとした状態を示す図であり、図３（ａ）はパソコン１の筐体１１の側面部１１ｂの斜視図、図３（ｂ）は図３（ａ）におけるＢ−Ｂ線断面図である。また、図４は図２（ａ）において筐体１１をＣ方向から見た場合の一部平面図である。
【００２１】
図２、図３に示すように、実施の形態１におけるパソコン１には、端子接続部１４ａ、１４ｂが配置された筐体１１の側面部１１ｂに開閉部材３０を設けている。開閉部材３０は筐体１１の内部に設けられた端子接続部１４ａ、１４ｂに対応する開口部３１ａ、３１ｂを備え、さらに、回転軸３２を中心として回動可能なように筐体１１に支持固定されている。また、開閉部材３０には円弧形状の蓋部３３に開口部３１ａ、３１ｂが設けられ、蓋部３３の端面３３ａが筐体１１の側面部１１ｂの端面１１ｇよりも所定距離Ｄだけ外部に突出するように構成されている。すなわち、開閉部材３０は、回転軸３２を軸心とする回転円筒体、あるいはその回転円筒体の所定角度分の円弧よりなる蓋部３３を有する回転体であり、その蓋部３３に開口部３１ａ、３１ｂが設けられている。
【００２２】
なお、図２（ａ）、図３（ａ）では、図面を簡単にするために開閉部材３０が側面部１１ｂの全長にわたって設けられているように示しているが、端子接続部１４ａ、１４ｂが設けられている側面部１１ｂの所定領域だけに開閉部材３０を設ける構成としてもよい。
【００２３】
すなわち、筐体１１の内部に端子接続部１４ａ、１４ｂが設けられた側面部１１ｂには、開閉部材３０の蓋部３３が所定の隙間を持って回動可能なように開口が設けられ、その開口の端部に沿って開閉部材３０が回転するようにしている。また、側面部１１ｂの開口の端部には、シリコンゴムなどの弾性材料で形成された密封部材３４が設けられ、側面部１１ｂと開閉部材３０との密封を保つようにしている。
【００２４】
図２では、開閉部材３０を回転させて、開閉部材３０の開口部３１ａ、３１ｂが筐体１１の側面部１１ｂに設けられた端子接続部１４ａ、１４ｂに対応した位置に位置決めされた状態を示している。この状態では、開口部３１ａ、３１ｂを通して端子接続部１４ａ、１４ｂに、図１に示すコネクタ２４を接続することが可能となる。なお、図２に示す開閉部材３０の状態を「開」モードという。この状態では、開口部３１ａ、３１ｂを介して端子接続部１４ａ、１４ｂが外部に露出した状態となる。
【００２５】
一方、図３では、開閉部材３０を、例えば図２（ｂ）のＲ方向に回転させることにより、筐体１１の側面部１１ｂに、開閉部材３０の開口部３１ａ、３１ｂが設けられていない領域の蓋部３３を配置した状態を示す。なお、図３に示す開閉部材３０の状態が「閉」モードであり、この状態では端子接続部１４ａ、１４ｂを外部に露出させない状態となる。
【００２６】
また、図４には、図２における開閉部材３０が「開」モードの場合に、筐体１１をＣ方向から見た場合の平面図を示している。図２（ｂ）、図３（ｂ）に示すように、開閉部材３０は円弧形状の蓋部３３に開口部３１ａ、３１ｂが設けられ、蓋部３３の端面３３ａが筐体１１の側面部１１ｂの端面１１ｇよりも所定距離Ｄだけ外部に突出するように構成されている。したがって、図４に示すように、パソコン１を通常に操作する際の前面部１１ａから見て、開口部３１ａ、３１ｂを容易に視認することができる。
【００２７】
そのため、側面部１１ｂの方向から端子接続部１４ａを視認できる空間のない状態でパソコン１を操作する場合でも、パソコン１を上面から見るだけで端子接続部１４ａ、１４ｂに対応する開口部３１ａ、３１ｂの位置を容易に視認することができる。その結果、端子接続部１４ａ、１４ｂの位置を確認することなく、確実にコネクタ２４を端子接続部１４ａ、１４ｂに接続することができる。
【００２８】
また、実施の形態１では、側面部１１ｂの開口の端部には、シリコンゴムなどの弾性材料で形成された密封部材３４が設けられ、側面部１１ｂと開閉部材３０との密封を保つようにしている。そのため、外部機器のコネクタ２４と接続のない状態で、なおかつ開閉部材３０を「閉」モードとした状態では、筐体１１内への防塵、防水性能を高めることができ、情報処理装置１の使用環境対応性を向上させることができる。
【００２９】
なお、図２（ｂ）、図３（ｂ）に示すように、実施の形態１では、端子接続部１４ａ、１４ｂの中心高さを開閉部材３０の中心高さよりＨだけ高くしている。したがって、開口部３１ａ、３１ｂの配設位置が開閉部材３０の回転軸３２の位置より上になり、側面部１１ｂにおける開口部３１ａ、３１ｂの突出高さＤをより大きくすることができる。この構成により、開口部３１ａ、３１ｂの視認をさらに容易とすることができる。
【００３０】
（実施の形態２）
図５は実施の形態２におけるパソコン１の開閉部材４０を開モードとした状態を示す断面図である。実施の形態２においては開閉部材４０の構成が実施の形態１と異なるのみで、他の構成要素は実施の形態１と同じであり、同一の構成要素には同一の符号を付している。
【００３１】
実施の形態２では、図５に示すように、開閉部材４０は円弧形状に形成された蓋部４１と蓋部４１に設けられた開口部４２とを備え、さらに、開口部４２に筐体１１の外側に突出するガイド部４３を設けている。ガイド部４３は、開閉部材４０が「開」モードとなるように回動される回転方向の、開口部４２の下流側、すなわち図面では開口部４２の下側に設けられている。
【００３２】
このように開口部４２にガイド部４３を設ける構成により、開閉部材４０を「開」モードとした場合に、開閉部材４０の側面部１１ｂからの突出量Ｄを大きくすることができる。そのため、開口部４２に対応する端子接続部１４ａの位置を容易に視認することができる。さらに、ガイド部４３に対応する端子接続部１４ａなどを識別できる表示を施すことも可能となり、外部機器のコネクタ２４との接続を正確に行うことが可能となる。
【００３３】
なお、これらのガイド部４３は、開閉部材４０が「閉」モード、すなわち、開閉部材４０によって端子接続部１４ａの外部への露出がないようにした状態では、ガイド部４３が筐体１１内部に収納される。そこで、側面部１１ｂの開口の端部には、シリコンゴムなどの弾性材料で形成された密封部材４４を設け、側面部１１ｂと開閉部材３０との密封を保つようにしている。
【００３４】
（実施の形態３）
図６は、実施の形態３におけるパソコン１に開閉部材５０を取り付けた状態を示す断面図であり、図６（ａ）は開閉部材５０を「開」モードとした状態、図６（ｂ）は開閉部材５０を「閉」モードとした状態を示している。
【００３５】
実施の形態３においては開閉部材５０と端子接続部５１との係合に係る構成が実施の形態１と異なるのみで、他の構成要素は実施の形態１と同じであり、同一の構成要素には同一の符号を付している。
【００３６】
実施の形態３では、端子接続部５１と開閉部材５０とは一体となるように係合され、開口部５２の位置を変えるために開閉部材５０が回転軸５３を軸として回転する際に、端子接続部５１も同様に回転するようにしている。
【００３７】
すなわち、図６（ａ）の「開」モードにおける開閉部材５０を、図６（ｂ）の「閉」モードとなるように矢印Ｅ方向に９０°回転させる際に、端子接続部５１も同様に９０°回転する。そのために、図６（ａ）において右方向に開口していた端子接続部５１の端子部５４が、図６（ｂ）においては下向きとなる。
【００３８】
このような構成により、水平方向および上向き方向であると、端子接続部５１の端子部５４に侵入しやすい塵埃および水などに対して、防塵、防水性能を高めることができる。
【００３９】
また、実施の形態３では、開閉部材５０の蓋部５５の表面に密封部材５６を貼り付けた構成としている。このような構成によれば、開閉部材５０と筐体１１との密封を維持して筐体１１内部への防塵防水効果を高めることができるとともに、密封部材５６の取り付けを容易にすることができる。
【００４０】
なお、上述の実施の形態では情報処理装置としてパソコンを例に挙げ説明したが、本発明の情報処理装置はパソコン以外でも例えば携帯電話、携帯映像再生装置等、外部と接続する接続端子を備える電子機器であれば適用することができる。
【００４１】
以上のように、本発明の情報処理装置によれば、端子接続部への外部機器のコネクタ接続が容易で、なおかつ、防塵防水性能に優れた情報処理装置を実現することができる。
【産業上の利用可能性】
【００４２】
以上のように、本発明の情報処理装置によれば外部機器との接続などの利便性が向上し、携帯型の音声・映像機器や情報機器などにおいて有用である。
【符号の説明】
【００４３】
１    ノート型パーソナルコンピュータ（パソコン）
１０    本体
１１    筐体
１１ａ    前面部
１１ｂ，１１ｃ，１１ｄ    側面部
１１ｇ，３３ａ    端面
１２    入力部
１３    操作部
１４ａ，１４ｂ，５１    端子接続部
１６，２３    支持部
２０    表示装置
２１    表示面
２２    表示部
２４    コネクタ
３０，４０，５０    開閉部材
３１ａ，３１ｂ，４２，５２    開口部
３２，５３    回転軸
３３，４１，５５    蓋部
３４，４４，５６    密封部材
４３    ガイド部
５４    端子部
【図１】
2011018089.tif 000003
【図２】
2011018089.tif 000004
【図３】
2011018089.tif 000005
【図４】
2011018089.tif 000006
【図５】
2011018089.tif 000007
【図６】
2011018089.tif 000008